(57)【要約】【課題】  展示物の展示とその収納に完全を期すことを可能にする。【解決手段】  内部Ｉから外部Ｏに突出すると共に外部Ｏから内部Ｉに没入する展示体１０を有し、この展示体１０が非視認領域から外部Ｏに突出した後にこの展示体における正面を転向すると共に爾後にこの転向された正面をこの展示体１０が外部Ｏに突出した時点の状態に戻し、この視認領域に突出した時点の状態に戻った展示体１０が内部Ｉに没入してなる。【選択図】  図１
2011010975.tif 000002
【特許請求の範囲】
【請求項１】
非視認領域から視認領域に突出すると共にこの視認領域から上記の非視認領域に没入する展示体を有してなる展示方法において、上記の展示体が上記の非視認領域から上記の視認領域に突出した後にこの展示体における正面を転向すると共に、爾後に、この展示体において転向された正面をこの展示体の上記の視認領域への突出時状態に戻し、この上記の視認領域への突出時状態に戻された展示体が上記の非視認領域に没入されてなることを特徴とする展示方法。
【請求項２】
上記の非視認領域が地中あるいは水中とされると共に、上記の視認領域が空中とされてなる請求項１に記載の展示方法。
【請求項３】
上記の非視認領域が建造物の内部とされると共に、上記の視認領域が上記の建造物の外部とされ、上記の展示体が上記の建造物に形成の開口を介して上記の内部と上記の外部との間を移動してなる請求項１または請求項２に記載の展示方法。
【請求項４】
上記の展示体が展示物そのものであり、あるいは、展示物を保持してなる請求項１，請求項２または請求項３に記載の展示方法。
【請求項５】
上記の展示体が駆動手段の駆動で上記の非視認領域から上記の視認領域に突出してなる請求項１，請求項２，請求項３または請求項４に記載の展示方法。
【請求項６】
上記の展示体が駆動手段の駆動で上記の非視認領域から上記の視認領域に突出すると共に上記の視認領域から上記の非視認領域に没入してなる請求項１，請求項２，請求項３、請求項４または請求項５に記載の展示方法。
【請求項７】
上記の展示体が駆動手段の駆動で上記の非視認領域から上記の視認領域に突出すると共に、上記の駆動手段が上記の視認領域において上記の展示体における展示面を転向させてなる請求項１，請求項２，請求項３，請求項４，請求項５または請求項６に記載の展示方法。
【請求項８】
上記の展示体が駆動手段の駆動で上記の非視認領域から上記の視認領域に突出すると共にこの視認領域においてこの展示手段が有する転向手段の作動での作動でこの展示体における正面を転向させてなる請求項１，請求項２，請求項３，請求項４，請求項５，請求項６または請求項７に記載の展示方法。
【請求項９】
非視認領域から視認領域に突出すると共にこの視認領域から上記の非視認領域に没入する展示体を有してなる展示装置において、上記の展示体を上記の非視認領域から上記の視認領域に突出させると共に上記の視認領域から上記の非視認領域に没入させることを可能にし、上記の視認領域に突出した展示体における正面を任意の方向に転向させると共にこの転向された正面をこの展示体が上記の視認領域に突出した時点の状態に戻すことを可能にしてなることを特徴とする展示装置。
【請求項１０】
上記の非視認領域が地中あるいは水中とされると共に、上記の視認領域が空中とされてなる請求項９に記載の展示装置。
【請求項１１】
上記の非視認領域が建造物の内部とされると共に、上記の視認領域が上記の建造物の外部とされ、上記の展示体が上記の建造物に形成の開口を介して上記の内部と上記の外部との間を移動してなる請求項９または請求項１０に記載の展示装置。
【請求項１２】
上記の展示体が展示物そのものであり、あるいは、展示物を保持してなる請求項９，請求項１０または請求項１１に記載の展示装置。
【請求項１３】
上記の展示体が駆動手段の駆動で上記の非視認領域から上記の視認領域に突出してなる請求項９，請求項１０，請求項１１または請求項１２に記載の展示装置。
【請求項１４】
上記の展示体が駆動手段の駆動で上記の非視認領域から上記の視認領域に突出すると共に上記の視認領域から上記の非視認領域に没入してなる請求項９，請求項１０，請求項１１，請求項１２または請求項１３に記載の展示装置。
【請求項１５】
上記の展示体が駆動手段の駆動で上記の非視認領域から上記の視認領域に突出すると共に、上記の駆動手段が上記の視認領域において上記の展示体における正面を転向させてなる請求項９，請求項１０，請求項１１，請求項１２，請求項１３または請求項１４に記載の展示装置。
【請求項１６】
上記の展示体が駆動手段の駆動で上記の非視認領域から上記の視認領域に突出すると共にこの視認領域においてこの展示手段が有する転向手段の作動での作動でこの展示体における正面を転向させてなる請求項９，請求項１０，請求項１１，請求項１２，請求項１３，請求項１４または請求項１５に記載の展示装置。
【発明の詳細な説明】
【技術分野】
【０００１】
この発明は、展示方法および展示装置に関し、特に、美術品や広告体などの展示物の展示と収納を可能にする展示方法および展示装置の改良に関する。
【背景技術】
【０００２】
美術品や広告体などの展示物の展示には、様々な方策が選択されるが、一般に、展示物が比較すれば大きくなる場合や移動を要しない場合、あるいは、移動を善しとしない場合には、展示物を移すことなくそのままの状態に置く。
【０００３】
一方、展示物が比較すれば小さくなる場合には、他の場所たる収納場所に移すこともあるが、移すことを善しとしない場合や移さなくても良い場合には、展示物が隠蔽されて収納状態に置かれることがある。
【０００４】
たとえば、特許文献１に開示されているところでは、展示物がいわゆる貴金属や宝石類とされて比較すれば小さい物であることや、また、その展示行為が防犯や保安に優れる屋内で行われることが多いから、その収納にあっては、他の場所に移すことはせず、展示物が観る者の、つまり、観者の視界に入らないように隠蔽する。
【０００５】
すなわち、この特許文献１に開示されているところでは、ケース越しでの展示物の展示を可能にするのはもちろんのこと、ケース内に収容の展示物が同じケース内に収装のシャッタで隠蔽されるから、展示物を移動させずして、収納状態に置ける。
【先行技術文献】
【特許文献】
【０００６】
【特許文献１】特開２００１‐１２８８１６公報（特許請求の範囲  請求項１，明細書中の段落００１１，同００１２，図５，図６参照）
【発明の概要】
【発明が解決しようとする課題】
【０００７】
しかしながら、上記した特許文献１に開示の提案にあっては、展示物の展示と収納を可能にし得る点で、基本的に問題がある訳ではないが、利用の実際を勘案すると、些かの不具合があると指摘される可能性がある。
【０００８】
すなわち、上記した特許文献１に開示の展示方法なり、展示装置にあっては、展示物が比較すれば小さな物であって、観者の精緻な観察を受けることを前提にしていることもあり、観者が手にとって観察できる程の間近な展示を可能にしている。
【０００９】
また、展示物が比較すれば小さな物となるから、収納場所への移動も困難ではないが、展示が防犯や保安に優れる屋内などでの行われる場合には、展示物を移動することなく隠蔽するだけでも充分と言い得る。
【００１０】
そこで、特許文献１に開示の展示方法なり、展示装置による場合には、防犯目的でシャッタを利用するが、ケース自体が観者の手の届く範囲にあるので、たとえば、ケースを壊して中の展示物を持ち出そうとまでする犯罪の防犯には完全と言い難い不具合がある。
【００１１】
そして、展示物が、たとえば、美術品や広告体とされて比較すれば大きな物となる場合には、ケース内に収容した状態でシャッタを利用して隠蔽するもの容易でない、すなわち、上記した特許文献１に開示の展示方法なり、展示装置に拠るのも容易でない。
【００１２】
その結果、たとえば、美術品であれば、美術品をガラス板などで囲まれた空間に配置すると共に、近隣する柵を設けて立ち入り禁止の意思表示をしたり、あるいは、広告体である場合には、広告体を建造物の屋上に設けるなどして容易に手が届かないようにしたりするに止まり、防犯上や保安上からは、完全を期し得ない。
【００１３】
この発明は、このような現状を鑑みて創案されたものであって、その目的とするところは、展示と収納に完全を期すことを可能にして、その汎用性の向上を期待するのに最適となる展示方法および展示装置を提供することである。
【課題を解決するための手段】
【００１４】
上記した目的を達成するために、この発明による展示方法の構成を、基本的には、非視認領域から視認領域に突出すると共に視認領域から非視認領域に没入する展示体を有してなる展示方法において、展示体が非視認領域から視認領域に突出した後に展示面を転向すると共に、爾後に、展示体において転向された展示面をこの展示体の視認領域への突出時状態に戻し、この視認領域への突出時状態に戻された展示体が非視認領域に没入されてなるとする。
【００１５】
また、この発明による展示装置の構成を、基本的には、非視認領域から視認領域に突出すると共に視認領域から非視認領域に没入する展示体を有してなる展示装置において、展示体を非視認領域から視認領域に突出させると共に視認領域から非視認領域に没入させることを可能にし、視認領域に突出した展示体における展示面を任意の方向に転向させると共にこの転向された展示面をこの展示体が視認領域に突出した時点の状態に戻すことを可能にしてなるとする。
【発明の効果】
【００１６】
それゆえ、この発明にあっては、展示体を非視認領域から視認領域に突出させるから、展示体の展示を可能にすると共に、視認領域に突出した展示体を視認領域から非視認領域に没入させるから、展示体の収納が可能になる。
【００１７】
そして、展示体の収納時に展示体が非視認領域に没入するから、観者の視界に入らないので、防犯や保安を図れるのはもちろんのこと、防犯性や保安性に優れることになり、非視認領域がいわゆる手の届かない所に設定される場合には、防犯や保安に完全を期せる。
【００１８】
また、この発明にあっては、視認領域に突出した展示体における展示面を任意の方向に転向させるから、展示体における展示面が観者をして観易い態勢に置かれる。
【００１９】
そしてまた、この発明にあっては、展示面を任意の方向に転向された展示体が非視認領域から視認領域への突出時状態に戻されてから非視認領域に没入するから、たとえば、展示体が開口を介して出没するとき、その開口面積を必要最小限度の大きさに設定できる。
【図面の簡単な説明】
【００２０】
【図１】この発明による展示装置を原理的に示す正面縦断面図である。
【図２】図１に示す展示装置における側面図である。
【図３】図１に示す展示装置における平面図である。
【図４】この発明の一実施形態による展示装置を示す正面縦断面図である。
【図５】図４中のＹ１‐Ｙ１線位置で拡大して示す展示装置の側面縦断面図である。
【図６】図４中のＹ２‐Ｙ２線位置で拡大して示す展示装置の側面図である。
【図７】この発明における駆動手段の他の実施形態を示す正面縦断面図である。
【図８】図７中のＹ２‐Ｙ２線位置で拡大して示す駆動手段の上面図である。
【図９】この発明における転向手段の他の実施形態を図４と同様に示す図である。
【発明を実施するための形態】
【００２１】
以下に、この発明を説明するが、この発明は、必要時に展示物を展示する一方で、不要時には展示物を収納して、展示物に対する防犯や保安を可能にする。
【００２２】
すなわち、この発明による展示方法および展示装置にあっては、必要時に展示物の展示を可能にする一方で、不要時に展示物の収納を可能にして、防犯、すなわち、盗難や人為的な破壊行為などから展示物を護り、あるいは、保安、すなわち、展示物における美観を維持し自然的な破壊現象などから展示物を護ることを可能にするところに一つの目的がある。
【００２３】
つまり、この発明にあっては、展示物を展示すると共に収納するところに特異性があり、したがって、展示時間や収納時間の長短がこの発明の成立や具現化を左右しない。
【００２４】
それゆえ、一旦展示された展示物が長期に亘って展示状態のままにされても、爾後に収納される限りには、また、一旦収納された展示物が長期に亘って収納状態のままにされても、爾後に展示される限りには、この発明の成立および具現化は妨げられない。
【００２５】
一方、この発明にあっては、展示物を展示するについて、展示物を最も好ましい態勢に、あるいは、許容できる態勢にして、観者をして観易い状態にするところに特異性がある。
【００２６】
すなわち、この発明による展示方法および展示装置にあっては、展示物における展示面を任意の方向に転向して、展示物の展示面を最適な状態にして、あるいは、観者をして許容できる状態にして、凡そ観者をして観易い状態にするところにもう一つの目的がある。
【００２７】
以下には、図示したところに基づいて、この発明による展示装置について説明するが、この展示装置の説明を通じて、この発明による展示方法の説明もする。
【００２８】
図１は、この発明による展示装置を原理的に示すが、この展示装置は、図１中で右側領域となる非視認領域から、図１中で左側領域となる視認領域に突出すると共にこの視認領域から非視認領域に没入する展示体１０を有してなる。
【００２９】
このとき、非視認領域および視認領域についてであるが、この発明は、展示体１０が不要時には収納されて隠蔽されるが、必要時には、いわゆる外部に出されて展示されるところに基本がある。
【００３０】
このことからすると、非視認領域とは、正に観者をして視認できない、視界に入らない領域を言うから、たとえば、図示しないが、地中であったり水中であったりし、また、図示するように、建造物の内部であったりする。
【００３１】
ちなみに、地中あるいは水中の観念であるが、この種の展示装置が設けられる地中や水中は、その地中なり水中なりが自然状態のままに維持される、すなわち、一切の人工が排除されることはなく、概ね人工によって周辺整備がなされる。
【００３２】
そして、この展示装置が設けられる地中や水中における周辺整備には、多くの場合に人工物が新設されるであろうから、この人工物がある限りには、この展示装置が設けられる地中や水中は、上記した建造物とも共通する、すなわち、建造物と区別する必要性がないとも思考し得る。
【００３３】
ちなみに、建造物には、建築物と構築物とがあるが、建築物は、人間が継続的に居住したり滞在したりする目的のために設計築造され、構築物は、人間が継続的に居住したり滞在したりする目的以外のために設計築造される。
【００３４】
それゆえ、このことからすると、この発明に言う非視認領域が展示体１０を収納させる領域であることからすると、上記の地中や水中は、建造物の内部に置き換えられるとしても、この発明の成立が妨げられるものではない。
【００３５】
なお、この発明にあっては、凡そ見えない領域と見える領域との間を展示体１０が移動するとの観点からすれば、地中や水中が建造物の内部と並んで、この発明に言う非視認領域に該当すると言い得る。
【００３６】
一方、非視認領域が、たとえば、上記した地中や水中あるいは建造物の内部と観念されるのであれば、視認領域については、たとえば、空中であったり、建造物の外部であったりする。
【００３７】
ちなみに、この種の展示装置が水中に設けられる場合に、非視認領域と視認領域との境界が水面となる場合には、非視認領域が水中とされて視認領域が空中とされて明確に仕切られる。
【００３８】
しかし、展示装置が水没し、したがって、展示体１０は、一旦水中に突出した後に空中に突出する場合には、空中が視認領域であることには間違いないが、展示物体１０が一旦突出する水中は、通常の観念からすれば、非視認領域とされるべきであって、展示体１０が展示装置において突出しているからと言って、これを視認領域と言うのは、物理的に無理がある。
【００３９】
以上からすると、この発明の展示装置は、多くの場合に、後述するように、建造物に設けられるであろうが、地中や水中、たとえば、公園や噴水池などに設けられても良い。
【００４０】
ところで、図１に示すところでは、この発明の展示装置が建造物に設けられるとし、したがって、非視認領域が建造物の内部Ｉとされ、視認領域が建造物の外部Ｏとされている。
【００４１】
そして、この建造物における内部Ｉと外部Ｏとは、図示するところでは、仕切り部たる建造物における壁部１で区画され、また、展示体１０は、この壁部１に形成の開口１ａを介して出没、すなわち、内部Ｉから外部Ｏに突出し、外部Ｏから内部Ｉに没入する。
【００４２】
前記したように、建造物には、建築物と構築物とがあり、建築物は、人間が継続的に居住したり滞在したりする目的のために設計築造され、構築物は、人間が継続的に居住したり滞在したりする目的以外のために設計築造される。
【００４３】
このことからすると、建造物は、建築物であれ、構築物であれ、いずれにしても、多くの場合に、内部Ｉに非視認領域となる空間を有するので、図示するところにあっては、この空間たる建造物の内部Ｉを非視認領域として上記の展示体１０を収納させる。
【００４４】
ちなみに、この発明による展示装置を設けるために、建造物において、非視認領域たる上記の内部Ｉが、図1中に破線図で示すように、積極的に形成されても良いことはもちろんであり、また、建造物としては、たとえば、商品の展示販売などをする商店や芸術品を展示などする美術館、あるいは、多数の人間が出入りなどする病院や宿泊施設、さらには、物品を貯蔵などする倉庫や専ら広告のための広告塔などが例示される。
【００４５】
以上からすると、上記の内部Ｉと外部Ｏとを区画する仕切り部たる建造物における壁部１は、屋外に対向する外壁で構成されたり、屋内の内壁で構成されたりし、また、屋外は、必ずしも、解放された空間、すなわち、直接空に通じる空間だけを言うのではなく、たとえば、商店街のアーケード内などの言わば閉鎖傾向にある空間も含む。
【００４６】
また、この展示装置を具現化するにあって、仕切り部としての壁部１は、建造物を構成する壁自体を言うことがあるのはもちろんのこと、この展示装置を構成して建造物の壁に連設される平板や函体などのいわゆる部品からなることもある。
【００４７】
さらに、凡そ建造物において、内部Ｉと外部Ｏとを区画する仕切り部とされるのは、上記の壁部1の他に、図示しないが、ビルの屋上や広告塔の天端部や居室あるいはホールの天井部などがあり、これらが開口を形成させ、開口を介して展示体１０が出没可能とされるのであれば、この発明の具現化が可能となる。
【００４８】
ところで、図示する展示装置は、壁部１に形成の開口１ａを介して展示体１０を外部Ｏに突出させる（図１中の仮想線図参照）と共に、爾後に、展示体１０を内部Ｉに没入させる駆動手段２を有してなるが、この駆動手段２の具体的な構成については、任意の構成が採用されて良い。
【００４９】
特に、図１に示すところでは、具体的に図示しないが、駆動手段２が、たとえば、駆動モータを有してなるとしたり、後述する図７に示すように、流体圧シリンダなどの伸縮体とされたりして、この駆動モータの駆動なり、伸縮体の伸縮で、展示体１０が内部Ｉと外部Ｏとを往復動、すなわち、内部Ｉから外部Ｏへ前進し、外部Ｏから内部Ｉに後退する。
【００５０】
そして、展示体１０についてであるが、上記した駆動手段２で壁部１に対して出没する観点からすれば、この展示体１０自体が展示物そのものを構成するとしても良く、また、展示体１０が展示物を有してなるとしても良い。
【００５１】
たとえば、展示物が絵柄などを表示するパネル類とされる場合には、このパネル類自体が展示体１０を構成するとしても良く、展示物が額付きの絵画であったり、ＴＶモニタであったりする場合には、展示体１０は、たとえば、図示しないが、フレームを有していて、このフレームに展示物たる額付きの絵画やＴＶモニタなどを分離可能に保持させて良い。
【００５２】
また、展示体１０は、正面を、たとえば、観者をして最適な態勢に、あるいは、観者をして許容できる態勢にできるとし、図示するところでは、上記の駆動手段２によって、あるいは、別途に設けられる転向手段３（図２参照）によって、展示体１０における外部Ｏに露呈する正面、つまり、展示物であれば、展示面を転向させる。
【００５３】
すなわち、展示体１０が展示物そのもの、たとえば、絵柄などを表示するパネル類である場合には、観者をしてこの展示体１０における正面を観易い状態にするために、上記の駆動手段２で展示体１０の正面を任意の方向に転向させて良い。
【００５４】
そして、展示体１０が展示物を分離可能に保持する場合には、観者をして展示物の展示面を観易い状態にするために、上記の転向手段３で展示面を最適な状態に転向させて良い。
【００５５】
このとき、展示体１０は、図示するところでは、いわゆる起立した状態で内部Ｉと外部Ｏとの往復するが、その一方で、外部Ｏに突出した展示体１０の正面を、あるいは、展示体１０が保持する展示物の展示面を転向する方向については、図２および図３に示すように、任意である。
【００５６】
すなわち、図２に示すように、起立状態で外部Ｏに突出した展示体１０における上端を下方に向けて倒すようにしたり（図２中の仮想線図参照）、あるいは、図３に示すように、起立状態で外部Ｏに突出した展示体１０における図３中で左端となる先端あるいは図３中で右端となる基端を横方向に移動させるように揺動させたり（図３中の仮想線図参照）するのは任意である。
【００５７】
のみならず、起立状態で外部Ｏに突出した展示体１０が上記の動きを合体した動きとなるのも任意であり、また、展示体１０自体も上記したところでは、起立状態で外部Ｏに突出するとしたが、これに代えて、図示しないが、いわゆる平置き状態された展示体１０が外部Ｏに突出し、また、内部Ｉに戻るとしても良い。
【００５８】
ちなみに、たとえば、図１に示すように、全体に平板状に形成された展示体１０がいわゆる起立状態で内部Ｉと外部Ｏとの間を往復動する場合には、開口１ａの占有面積をいわゆる小さくし得る点で有利となり、図示しないが、居室の天井において、上記の展示体１０がいわゆる平置き状態で内部Ｉと外部Ｏとの間を往復動する場合には、内部Ｉの深さをいわゆる浅くできる点で有利となる。
【００５９】
いずれにしても、この展示装置にあっては、開口１ａを介して出没する展示体１０の態勢は、収納時の言わば基本姿勢に維持され、展示体１０における正面が転向されるのは、展示体１０が建造物の外部Ｏに突出した後とするところに特異性がある。
【００６０】
ところで、この発明による展示方法なり、展示装置が目的とするところの一つには、前記したように、たとえば、建造物の内部Ｉから建造物の外部Ｏに突出する展示体１０における正面を転向して観者をして最適な展示状態に、あるいは、観者をして許容できる状態、つまり、観易い状態にすることにある。
【００６１】
このことからすると、上記したところでは、展示体１０における正面を最適な状態に転向するについて、駆動手段２あるいは転向手段３が利用されるが、これに代えて、いわゆる人手でによって、展示体１０の正面が転向されても良いと言い得る。
【００６２】
つまり、この発明にあっては、結果として、展示体１０の正面が転向されれば良いとも言い得るので、この点からすれば、たとえば、図示するところにあって、言わば自動で内部Ｉから突出する展示体１０における正面が人手によって転向されても、問題はないと言い得る。
【００６３】
しかし、この発明にあっては、防犯上あるいは保安上から展示体１０を収納するが、その前提として、展示体１０を展示する際にも、その防犯や保安を可能にする、たとえば、悪戯されて破壊などされないことが肝要になる。
【００６４】
そして、この観点からすると、上記した人手による展示体１０における正面の転向は、好ましくないとされるであろう。
【００６５】
以上のようなこともあって、この発明における展示装置が設けられる部位は、壁部１に設けられる開口１ａが、たとえば、脚立などを利用せずして直接地上に起立する人、あるいは、跳び上がるなどした人の上方に伸ばした手先が届かない領域となる壁部１における、たとえば、排煙窓が設けられるような上方側領域とされるのが良い。
【００６６】
つまり、たとえば、この展示装置が広告に利用される場合に、展示体１０の下方を通行する通行人が跳び上がるなどしても、容易に手が届かない領域となる上方側領域で展示体１０が出没する、すなわち、地上で起立などする人の伸ばした手先が容易に届かない領域たる上方側領域にこの展示装置が設けられるのが良い。
【００６７】
そして、このたとえば通行人の手が届かないところとの観点からすれば、上記の壁部１たる仕切り部が、図示しないが、建造物における天井部とされても良く、この場合にも、展示体１０の下方で人が跳び上がるなどしても、容易に手が届かないようにすることが可能になる。
【００６８】
また、前記したように、この展示装置が公園や噴水池に設けられる場合、たとえば、立ち入り禁止の柵をした用地にこの展示装置が設けられる場合でも、展示体１０が地中に没入する状況では、充分に防犯や保安が保障される。
【００６９】
そして、この展示装置が噴水池に設けられる場合には、周辺が水であり、立ち入り禁止効果を得られて、防犯や保安が有利になるが、この場合でも、展示体１０が水中に没入する状況では、完全な防犯や保安が保障される。
【００７０】
それゆえ、以上のように形成された展示装置にあって、展示物そのものであったり展示物を保持したりする展示体１０は、駆動手段２の駆動で建造物における内部Ｉと外部Ｏとを区画する壁部１に形成の開口１ａを介して建造物の外部Ｏに突出する。
【００７１】
そして、この建造物における外部Ｏに突出した展示体１０は、この外部Ｏに突出した時点では、この展示体１０が建造物における内部Ｉに在ったときと同様の態勢にある。
【００７２】
すなわち、建造物における内部Ｉに在る展示体１０が、図示するように、板を立てるが如き起立状態にあった場合には、上記の外部Ｏに突出した時点では、その起立した状態に維持されており、その後に、展示体１０における外部Ｏに露呈する正面を任意の方向に転向させる。
【００７３】
つまり、展示体１０が展示物そのものであったり、展示物を保持するものであったりする場合に、その後、展示体１０の正面や展示物の展示面を任意の方向に転向させるについて、展示体１０なりが建造物における壁部１に干渉する虞がなくなるまで、展示体１０の正面を任意の方向に転向させる動きが実践されない。
【００７４】
そして、図示する展示装置にあっては、駆動手段２の駆動で内部Ｉから外部Ｏに突出したときには、その態勢から展示体１０の正面を任意の方向に転向しても、展示体１０が建造物における壁部１に干渉しない設定とされている。
【００７５】
ちなみに、上記の態勢下に展示体１０を建造物における内部Ｉに没入させる場合には、展示体１０が建造物における壁部１に干渉しないから、当初の態勢にあってように、内部Ｉに起立状態で没入する、すなわち、いわゆる引き込まれるようになる。
【００７６】
そして、展示体１０が内部Ｉに没入されるときは、当初の収納態勢に置かれて不要時の収納を実現可能にし、この限りにおいて、展示対１０に対する防犯や保安が実現可能になる。
【００７７】
上記のようにして、外部Ｏに突出した展示体１０は、転向手段３の作動するところで、展示体１０における外部Ｏに露呈する正面たる展示物の展示面を任意の方向に転向させる。
【００７８】
そして、展示体１０における外部Ｏに露呈する正面を任意の方向に転向させて観る者をして、好ましい状態に、すなわち、この展示装置が建造物の壁部１の上方側領域に配設される場合に、観者をして遠くからは僅かに視線を上げるだけで、また、比較的近くなってからは、僅かに仰向くようにして展示体１０における正面を視認し得ることになり、たとえば、観る者が歩行中である場合に、方向先の視認も妨げられない点で有利となる。
【００７９】
また、この展示装置が、たとえば、公共施設の待合室などに、しかも、内壁からなる壁部１の上方側領域に配設される場合には、この展示装置における展示体１０における正面を見る視線と、待合室における、たとえば、人を待ったり探したりする視線とが交錯しないから、それぞれの妨げにならない利点があり、不要時には内部Ｉに収納されるので、防犯や保安に有利となる。
【００８０】
図４は、この発明の展示装置の具体的な実施形態を示すもので、以下には、これについて少し説明するが、以降の各図中でその構成が前記した図１，図２および図３に示すものと同様となる構成については、各図中に同一の符号を付するとし、要する場合を除き、その詳しい説明を省略する。
【００８１】
すなわち、この図４に示す展示装置にあっては、展示体１０は、フレーム１１を有し、このフレーム１１に展示物たるＴＶモニタ１２を転向手段３の配在下に傾倒可能に有してなる。
【００８２】
そして、この展示装置にあって、展示体１０を構成するフレーム１１は、図４中で右端部となる基端部が建造物の内部Ｉに配設の敷き桁４に担持されると共に、同じくと建造物の内部Ｉであって、上記の敷き桁４の上方に配設の天井梁５に吊持されている。
【００８３】
すなわち、このフレーム１１は、敷き桁４と天井梁５とによっていわゆる片持ち構造下に建造物の内部Ｉに配設され、駆動手段２の駆動によって図４中で右から左に前進すると共に図４中で左から右に後退するとしている。
【００８４】
このとき、敷き桁４および天井梁５については、任意の構成が選択されて良いが、図示するところでは、所定の機械的強度を具有させるため、および、可能な限りの軽量化を可能にするために、いわゆるＩ型鋼やＨ型鋼などの型鋼からなり、適宜の手段で建造物における内部Ｉを画成する壁Ｂなどに固定的に連設されている（図５参照）。
【００８５】
ちなみに、上記のフレーム１１は、基端部の上下端に配設されて上記の敷き桁４および天井梁５に摺動可能に連結されるスライダ４１，５１を有してなり、このスライダ４１，５１は、図５に示すように、フレーム１１の図４中での前傾方向となる倒れ方向の回転を効果的に阻止し得るように敷き桁４および天井梁５の延在方向にそれぞれ一対配置とされている。
【００８６】
なお、フレーム１１の敷き桁４に対する移動を可能にする観点からすれば、上記のスライダ４１に代えて、いわゆる脱輪を有効に阻止する方策を講じることが可能であれば、図示しないが、敷き桁４の上端を移動するローラなどの転がり手段が利用されるとしても良いと言い得る。
【００８７】
また、フレーム１１の上端に配置されるスライダ５１は、上端部に蟻溝を有して、この蟻溝に天井梁５の下端に垂設された吊りレール５２（図５参照）の下端部を嵌合させているが、これに代えて、上記した敷き桁４に連結されるスライダ４１と同じ構造が採用されても良い。  
駆動手段２は、図示するところでは、減速器付きの駆動モータ２１と、この駆動モータ２１を走行させる軌条２２とを有してなり、駆動モータ２１は、上記のフレーム１１に保持され、軌条２２は、前記した壁Ｂに連設された基板２３に担持されている（図５参照）。
【００８８】
ちなみに、軌条２２は、これが所定の位置に設けられれば良く、その意味からは、この軌条２２が上記の基板２３に形成され、この基板２３が上記の壁Ｂに保持されても良いことはもちろんである。
【００８９】
そして、駆動モータ２１における出力軸に保持された歯車２１ａが軌条２２を構成する歯列２２ａに噛合しており、したがって、駆動モータ２１の駆動で、この駆動モータ２１自体が軌条２２を移動し、展示体１０を移動させる。
【００９０】
それゆえ、この駆動手段２にあっては、駆動モータ２１が、たとえば、正転されるとき、図４中で左行するように駆動モータ２１が軌条２２を移動し、したがって、内部Ｉにある展示体１０が開口１ａを介して外部Ｏ視認に突出する。
【００９１】
そして、この駆動手段２にあっては、駆動手段２によって外部Ｏに突出された展示体１０が駆動モータ２１の逆転で、図４中で右行するように移動し、内部Ｉに没入、すなわち、収納される。
【００９２】
転向手段３は、凡そ展示体１０を構成する展示物、たとえば、ＴＶモニタ１２を同じく展示体１０を構成するフレーム１１に対して、傾倒などさせて、展示物たるＴＶモニタ１２におけるモニタ面を任意の方向に転向すれば良く、その構成については、任意である。
【００９３】
そこで、この実施形態では、図６に示すように、フレーム１１とＴＶモニタ１２とに架け渡されるように配設されるＶ字状に形成されて折り畳み可能とされるリンク３０を有してなる。
【００９４】
そして、このリンク３０は、引っ張りバネ３１のバネ力によって深いＶ字状に折り曲げられるとき、ＴＶモニタ１２をフレーム１１に引寄せるように作動し、引っ張りバネ３１のバネ力に抗して浅いＶ字状になるとき、ＴＶモニタ１２をフレーム１１から離すように作動する。
【００９５】
このとき、ＴＶモニタ１２の下端部は、フレーム１１側に枢着されており、したがって、このＴＶモニタ１２における上端側がフレーム１１から離されるように押し出される場合には、ＴＶモニタ１２が上端部を前方に向けて倒し、モニタ面を転向させる。
【００９６】
その一方で、このリンク３０における折り曲げ部には、牽引索３２が連結され、この牽引索３２は、展示体１０を構成するフレーム１１に保持されたストップ機構３３（図４参照）に連結されている。
【００９７】
すなわち、図４に示すように、ストップ機構３３は、フレーム１１に一体に保持されたホルダ３３ａと、このホルダ３３ａに摺動可能に保持されたロッド３３ｂとを有してなり、基本的には、フレーム１１が駆動手段２の駆動で移動するときに同期してホルダ３３ａが移動する。
【００９８】
その一方で、このストップ機構３３にあっては、駆動手段２の駆動で展示体１０が建造物の外部Ｏに突出した以降は、フレーム１１のさらなる移動でロッド３３ｂの後端が前記した天井梁５側に形成のストッパ３４に係止される。
【００９９】
そして、ロッド３３ｂの後端が前記した天井梁５側に形成のストッパ３４に係止された以降は、フレーム１１の移動に追従してホルダ３３ａは移動するが、ロッド３３ｂの移動が阻止される。
【０１００】
その結果、ロッド３３ｂに連結される牽引索３２が引っ張られ、それゆえ、上記したリンク３０がそれまでの深いＶ字状から浅いＶ字状に変更され、したがって、ＴＶモニタ１２がフレーム１１から離れるように押し出される。
【０１０１】
このとき、ＴＶモニタ１２の下端部がフレーム１１側に枢着されているから、ＴＶモニタ１２の上端側が前方に倒れるように傾倒し、したがって、ＴＶモニタ１２におけるモニタ面が転向される。
【０１０２】
ちなみに、図示する実施形態では、フレーム１１とＴＶモニタ１２との間に上記のリンク３０に並行するようにフレキシブルなバンドなどを有して長さを調整可能にするスペーサ手段３５が設けられており、このスペーサ手段３５によって、ＴＶモニタ１２の必要以上の倒れが阻止されている。
【０１０３】
上記の状態、すなわち、ＴＶモニタ１２におけるモニタ面が転向されている状態から、逆に、展示体１０を建造物における内部Ｉに没入させる場合には、駆動手段２の駆動で展示体１０を構成するフレーム１１を建造物の内部Ｉに引き込むようにする。
【０１０４】
そして、フレーム１１が後退して上記したロッド３２ｂのストッパ３４への係止が解除されると、牽引索３２が緩められる状況になり、リンク３０が引っ張りバネ３１のバネ力によってそれまでの浅いＶ字状から深いＶ字状に変更されて、ＴＶモニタ１２がフレーム１１に引寄せられる。
【０１０５】
その結果、展示体１０にあっては、これが建造物の内部Ｉから突出したときの態勢になり、展示体１０は、開口１ａに干渉することなく、建造物の内部Ｉに引き込まれることにあり収納状態になる。
【０１０６】
以上からすると、この図６に示すところでは、転向手段３の作動によって展示体１０の正面たる展示面を任意の方向に転向させるとするが、図示する実施形態からすると駆動機構２の駆動にも起因している。
【０１０７】
すなわち、図示するところでは、転向手段３の作動でＴＶモニタ１２が傾倒し起立するが、この転向手段３の作動は、駆動手段２の駆動によるところもあり、その意味では、展示体１０における正面の変更は、駆動手段２の駆動および転向手段３の作動によることになる。
【０１０８】
ところで、駆動手段２は、前記した図４に示すところでは、減速器付きの駆動モータ２１を有してなるとしたが、これに代えて、前述したところでもあるが、図７に示すように、伸縮体２４を有してなるとしても良い。
【０１０９】
そこで、以下には、この図７に示す駆動手段２について少し説明するが、この駆動手段２は、図示する実施形態にあって、伸縮体２４としての流体圧シリンダを有してなる。
【０１１０】
ちなみに、伸縮体２４については、凡そ所定の伸縮作動をする限りには、任意に構成されて良く、たとえば、流体圧シリンダからなるのに代えてジャッキシリンダからなるとしても良いこともちろんである。
【０１１１】
また、伸縮体２４が流体圧シリンダからなる場合でも、作動流体が作動油からなる他、水あるいはエアからなるとしても良く、特に、環境保全や展示体１０の重量などの観点から、作動流体として水あるいはエアが選択されても良い。
【０１１２】
一方、この駆動手段２にあって、伸縮体２４は、シリンダ体２４ａにロッド体２４ｂが出没可能に挿通されてなり、シリンダ体２４ａの図中で右端部となる基端部が固定ブラケット２５に保持され、ロッド体２４ｂの図中で左端部となる基端部がブラケット２４ｃの配在下に展示体１０に連結されている。
【０１１３】
そして、この駆動手段２にあって、上記の伸縮体２４は、ガイド機構２６の内側に保持され、このガイド機構２６は、シリンダ体２４ａを挿通させる内側ガイドパイプ２６ａと、この内側ガイドパイプ２６ａを挿通させる外側ガイドパイプ２６ｂとを有してなる。
【０１１４】
また、ガイド機構２６にあって、内側ガイドパイプ２６ａは、図中で右端となる基端が上記の固定ブラケット２５に連結され、外側ガイドパイプ２６ｂは、図中で左端となる基端が上記の展示体１０に連結されている。
【０１１５】
それゆえ、このガイド機構２６にあっては、伸縮体２４が伸長作動すると、内側ガイドパイプ２６ａが外側ガイドパイプ２６ｂ内から抜け出る、すなわち、外側ガイドパイプ２６ｂが伸縮体２４の伸長作動に同期して図中で左行するようになり、伸縮体２４の伸長作動で外部Ｏに突出する展示体１０の動きに追随する。
【０１１６】
その一方で、このガイド機構２６にあって、外側ガイドパイプ２６ｂは、図８にも示すように、上面部にこの外側ガイドパイプ２６ｂの軸線方向に沿うように形成のガイド溝２６ｃを有しており、このガイド溝２６ｃには、固定態様に設けられるガイドピン２６ｄを臨在させている。
【０１１７】
そして、ガイドピン２６ｄは、図示するところでは、外側ガイドパイプ２６ｂにおける展示体１０寄り部となる基端部を摺動可能に保持する軸受態様に形成の固定ブラケット２７に設けられている（図７参照）。
【０１１８】
つまり、この固定ブラケット２７は、図７に示すように、下方側で外側ガイドパイプ２６ｂの基端部を摺接状態に担持するが、上方側に上記のガイド溝２６ｃに対向するスライダ部２７ａを有し、このスライダ部２７ａの言わば内側面に上記のガイドピン２６ｄを突設させている。
【０１１９】
その一方で、上記のガイド溝２６ｃは、図８に示すように、全体的に看ると、外側ガイドパイプ２６ｂの軸線方向に沿うように直線状に形成されているが、図中の右端部となるいわゆる終端部で、図中で上方に屈曲している。
【０１２０】
すなわち、このガイド溝２６ｃにあっては、直線状部分にガイドピン２６ｄがあるときには、外側ガイドパイプ２６ｂの回転を阻止するが、上記の屈曲部分にガイドピン２６ｄが誘導される場合には、外側ガイドパイプ２６ｂを回転させる、つまり、展示体１０における正面の転向を可能にする。
【０１２１】
ちなみに、展示体１０における正面の転向が許容されるのは、展示体１０が壁部１の開口１ａを介して外部Ｏに突出した以降であり、この時点では、展示体１０が転向してもこれが、たとえば、壁部１ａなどに干渉しない。
【０１２２】
そして、展示体１０が外部Ｏに突出した以降に伸縮体２４のさらなる伸長に伴う外側ガイドパイプ２６ｂの言わば突出で、ガイドピン２６ｄがガイド溝２６ｃの屈曲された終端部に誘導され、外側ガイドパイプ２６ｂが回転される。
【０１２３】
それゆえ、この図７に示す実施形態にあっては、駆動手段２の駆動で、すなわち、伸縮体２４が伸長されることで、展示体１０の内部Ｉから外部Ｏへの移動、つまり、突出を可能にすると共に、展示体１０の転向を可能にする。
【０１２４】
このことからすると、この実施形態にあっては、駆動手段２が転向手段３の機能も果すことになり、その意味では、前記した図４に示す実施形態の場合に比較して、転向手段３の配設を別途に要しない点で有利となる。
【０１２５】
ちなみに、駆動手段２たる伸縮体２４が収縮状態にあり、したがって、展示体１０が内部Ｉにあるときには、伸縮体２４にいたずらに曲げ力が作用しないが、それでも可能な限りに曲げ力を作用させないためには、図７に示するように、展示体１０が、たとえば、コロ手段（符示せず）の配在下に担持されるのが良い。
【０１２６】
図９は、転向手段３の他の実施形態を示すもので、前記した図６に示す転向手段３が同じく前記した図４に示す駆動手段２と連動する構成とされたのに対して、この実施形態にあっては、駆動機構２と言わば独立して機能する構成とされている。
【０１２７】
すなわち、この図９に示す実施形態の転向手段３にあっては、展示体１０を構成するフレーム１１に固定的に保持された減速器付などの駆動モータ３６を有すると共に、この駆動モータ３６の出力軸３６ａに一体的に連結された揺動アーム３７を有し、この揺動アーム３７が、図示するところでは、ＴＶモニタ１２の背面側に連設のブラケット３８に連結されている。
【０１２８】
つまり、揺動アーム３７は、基端が駆動モータ３６の出力軸３６ａに連結されることで、駆動モータ３６の駆動時にいわば自由端たる先端を図中で左右方向に揺動させる。
【０１２９】
その一方で、この揺動アーム３７は、先端側部にこの揺動アーム３７の軸線方向に沿って形成されるスリット３７ａを有しており、このスリット３７ａに上記のブラケット３８に植設のピン３８ａを移動可能に導通させている。
【０１３０】
それゆえ、この転向手段３にあっては、言わば駆動手段２の駆動に関係なく、駆動モータ３６が駆動されることで、フレーム１１に対するＴＶモニタ１２の転向、すなわち、展示体１０の転向を可能にする。
【０１３１】
もっとも、駆動手段２によって展示体１０を移動させると共に転向手段３で展示体１０を転向させる動きを観察すると、言わば一連の動きとして実現されるのが常態であり、この一連この動きは、制御盤利用によって実践されるのが常態であり、いわゆるリニアな動きを実現するのは容易になるであろう。
【０１３２】
以上からすれば、この実施形態による場合には、基本的に、駆動モータ３６の設置場所に制限を受ける機会が減り、いわゆる設置性で優れる点で有利となる。
【０１３３】
前記したところでは、非視認領域と視認領域とを区画する仕切り部が、たとえば、建造物における内部Ｉと外部Ｏを区画する建造物における壁部１とされるとき、この壁部１がいわゆる平坦面に形成されてなる前提で説明した。
【０１３４】
しかし、この発明が意図するところからすれば、凡そ非視認領域と視認領域とを区画する仕切り部でありながら展示体１０の出没を許容する限りには、図示しないが、壁部１が平坦面以外の、たとえば、湾曲面に形成されていたり、波形面に形成されていたりしても良いことはもちろんである。
【０１３５】
また、平坦面とされる場合でも、この平坦面が縦方向にあるいは横方向に傾斜してなるとしても良いことももちろんである。
【０１３６】
そして、前記したところでは、たとえば、建造物の内部Ｉから建造物の外部Ｏに突出する展示体１０における先端がどうなっているかについては、触れなかったが、この種の内部Ｉから外部Ｏに突出したものが再度内部Ｉに戻るような構成のときには、図示しないが、開口１ａに蓋体が設けられるのが常態であり、その蓋体も、この発明にあっては、展示体１０に設けられているとしても良く、また、建造物側に設けられて、展示体１０の通過時に開口１ａを開閉するとしても良い。
【産業上の利用可能性】
【０１３７】
美術品や広告体などの展示物の展示およびその収納に完全を期すのに向く。
【符号の説明】
【０１３８】
１  仕切り部たる壁部
１ａ  開口
２  駆動手段
３  転向手段
４  敷き桁
５  天井梁
１０  展示体
１１  フレーム
１２  ＴＶモニタ
２１，３６  駆動モータ
２１ａ  歯車
２２  軌条
２２ａ  歯列
２３  基板
２４  伸縮体
２４ａ  シリンダ体
２４ｂ  ロッド体
２４ｃ，３８  ブラケット
２５，２７  固定ブラケット
２６  ガイド機構
２６ａ  内側ガイドパイプ
２６ｂ  外側ガイドパイプ
２６ｃ  ガイド溝
２６ｄ  ガイドピン
２７ａ  スライダ部
３０  リンク
３１  引っ張りバネ
３２  牽引索
３３  ストップ機構
３３ａ  ホルダ
３３ｂ  ロッド
３４  ストッパ
３５  スペーサ手段
３６ａ  出力軸
３７  揺動アーム
３７ａ  スリット
３８ａ  ピン
４１，５１  スライダ
５２  吊りレール
Ｂ  内部を形成する壁
Ｉ  非視認領域たる建造物の内部
Ｏ  視認領域たる建造物の外部
【図１】
2011010975.tif 000003
【図２】
2011010975.tif 000004
【図３】
2011010975.tif 000005
【図４】
2011010975.tif 000006
【図５】
2011010975.tif 000007
【図６】
2011010975.tif 000008
【図７】
2011010975.tif 000009
【図８】
2011010975.tif 000010
【図９】
2011010975.tif 000011